(57)【要約】【課題】安全なバンド取付け装置を提供する。【解決手段】第１の開放筐体がその中またはその上に配置されるケースと、一端が第１の開放筐体内に配置されたバンドと、バンドの端部を第１の筐体内に保持するための取付け手段とを含む腕時計。この取付け手段は、第１の筐体に対する第２の収容開口と、第２の筐体内に配置され、第１の筐体の一部を占拠する取付け要素とを含む。この腕時計はさらに、取付け要素を保持するための手段を中に含む。【選択図】図１
2014180580.tif 000002
【特許請求の範囲】
【請求項１】
第１の開放筐体がその中またはその上に配置されるケース（１）と、一端（２１）が前記第１の開放筐体内に配置されたバンド（２）と、前記バンド（２）の前記端部（２１）を前記第１の筐体内に保持するための取付け手段とを含み、前記取付け手段は、前記第１の筐体に対する第２の収容開口と、前記第２の筐体内に配置され、前記第１の筐体の一部を占拠する取付け要素とを含む腕時計であって、前記取付け要素を保持するための手段をさらに含むことを特徴とする腕時計。
【請求項２】
前記取付け要素は、バー（４）であり、前記保持手段は、軸方向の保持要素に加えて半径方向の保持要素を含むことを特徴とする、請求項１に記載の腕時計。
【請求項３】
前記半径方向の保持要素は、前記第１の筐体の中に配置された中央の隆起部分（５）によって形成されることを特徴とする、請求項２に記載の腕時計。
【請求項４】
前記第１の筐体は前記ケース（１）内に作製されたスロット（３）であり、前記第２の筐体は溝（３２）であり、前記中央の隆起部分（５）は前記スロット（３）の中に隠されることを特徴とする、請求項３に記載の腕時計。
【請求項５】
前記中央の隆起部分（５）は、その直径が前記バー（４）のピン（４１）のものと合致するチャネル部分（５１）を含むことを特徴とする、請求項３または４に記載の腕時計。
【請求項６】
前記軸方向の保持手段は、前記バーの一端における鍔（４３）と、前記バー（４）の他端に対して組立てられたキャップ（４２）、ならびに前記第１の筐体の横方向の停止面（３１）によって形成されることを特徴とする、請求項２から５のいずれか一項に記載の腕時計。
【請求項７】
前記腕時計はさらに、前記横方向の停止面（３１）に面する横方向の凹部（１２）を含むことを特徴とする、請求項６に記載の腕時計。
【請求項８】
前記第２の筐体に面して前記バンド（２）の前記端部（２１）内に第３の筐体が配置され、前記取付け要素はまた、前記第３の筐体内に配置されることを特徴とする、請求項１から７のいずれか一項に記載の腕時計。
【請求項９】
前記ケースは、第１の開放筐体と、前記第１の開放筐体に対する第２の開放筐体と、中心の半径方向の保持要素とを含むことを特徴とする、請求項１から８のいずれか一項に記載の腕時計のためのケース。
【請求項１０】
前記第１の筐体はスロット（３）であり、前記第２の筐体は溝（３２）であり、前記中心の半径方向の保持要素は、前記スロット（３）の中に隠れた中央の隆起部分（５）であり、その中にチャネル部分（５１）が配置されることを特徴とする、請求項９に記載の腕時計のためのケース。
【請求項１１】
前記バンドは、中心凹部（２２）と、前記中心凹部（２２）の両側にある２つの相互に延在する半分の溝（２３）とを含むことを特徴とする、請求項１から８のいずれか一項に記載の腕時計のための腕時計バンド。
【発明の詳細な説明】
【技術分野】
【０００１】
本発明は、時計バンドのストランドのための特定の装着システムを備えた腕時計に関する。
【背景技術】
【０００２】
時計製作法の分野、およびより詳細には腕時計の分野において、ヒンジ手段を使用してバンドの端部を時計ケースの中央部分に固定することが知られている。２つの別個のストランドで形成された革製バンドの場合、このようなヒンジ手段は一般に、一組の隆起部分または取付け具の形態を採り、それに対してバーが固定され、その周りにバンドのストランドの端部が巻き付けられ、よってこれは中央部分に対して枢動することができる。ゴム製バンドの場合、この隆起部分の間に配置され、バーがその中を通過するための貫通穴を備えた中心の爪を使用して固定する変形形態が提案されることが多い。この場合、バンドの取付け具の端部は、スロットの形態の特定の切り抜き部を有する。
【０００３】
ねじまたはリベットを使用する他の取付け法も知られている。
【０００４】
このような取付け法の欠点は、バー、ねじまたはリベットが中を通過するようにバンド内に作製された穴が応力を引き上げる原因となることにより、牽引力に対するバンドの機械的な抵抗が低下することである。さらに、例えば合成繊維などでできたバンドの場合、このような穴を縁部に作製することは不可能である。
【０００５】
その結果、特に合成繊維またはプラスチック製のバンドに関して、バンドのストランドの端部内の穴を利用せずにバンドのストランドの端部を保持する代替の解決法が提案されてきた。出願人による欧州特許第０２４６４４９号は、例えばストランドの端部を筐体に挿入し、バンド内に配置されたチャネル部分の形状と合致する形状のピンを使用してそれをその中に保持することを提案している。
【０００６】
しかしながらこの種の解決法には、プラスチック材料で作製されたケースには適さない欠点があり、ピンがケースに及ぼす一定の圧力のために、プラスチック材のクリープは、遅かれ早かれストランドの端部とピンはそのそれぞれの筐体から緩みやすくなっている。さらに、ピンがその軸上で移動するのを阻止するために摩擦力以外の軸方向の保持手段が設けられていない。よって確実にピンをケースに対して永久に固定することは不可能であり、特にストランドが引っ張られて外れた場合、このとき子供がピンを飲み込む恐れがあるため、例えばＦｌｉｋ Ｆｌａｋ（登録商標）などの子供用の製品に関するリスクを呈する。
【０００７】
したがって、これらの既知である、制限のない、ストランドを組立てるための装置を備えた腕時計が必要である。
【先行技術文献】
【特許文献】
【０００８】
【特許文献１】欧州特許第０２４６４４９号
【発明の概要】
【０００９】
本発明の目的は、バンドのストランドの取付け端部内に貫通穴を機械加工する必要のない、バンドを時計ケースに取り付けるための代替の装置を提供することがである。
【００１０】
詳細には、本発明の目的は、安全なバンド取付け装置を提供することである。
【課題を解決するための手段】
【００１１】
これらの目的は、腕時計が、第１の開放筐体がその中またはその上に配置されるケースと、一端が第１の開放筐体内に配置されたバンドと、バンドの端部を第１の筐体内に保持するための取付け手段とを含む結果として達成される。この取付け手段は、第１の筐体に対する第２の収容開口と、第２の筐体内に配置され、第１の筐体の一部を占拠する取付け要素とを含む。この腕時計は、取付け要素を保持するための手段を中に含むことを特徴とする。
【００１２】
これらの目的はまた、このようなタイプの腕時計のためのケースが、第１の開放筐体と、第１の開放筐体に対する第２の開放筐体と、中心の半径方向の保持要素とを含むことを特徴とする結果として達成される。
【００１３】
これらの目的はまた、このようなタイプの腕時計のためのバンドが、中心凹部と、中心凹部のいずれの側にもある２つの相互に延在する半分の溝とを含むことを特徴とする結果として達成される。
【００１４】
提案される解決法の１つの利点は、バンドのストランドの端部が偶発的にゆるんだ場合でも、取付け要素をケースと一体になったまま保持することを可能にし、取付け要素をケースに対して永久に固定する結果として、子供にとってのいかなる危険も排除し、これにより子供が取付け要素を飲み込むような危険性がなくなることである。
【００１５】
提案される解決法の別の利点は、特定の国の法的な要件を満たすことができることである。
【００１６】
本発明の他の特徴および利点は、以下の詳細な記載および図面からより明らかになるであろう。
【図面の簡単な説明】
【００１７】
【図１】本発明を実施するための好ましい一実施形態による腕時計の斜視図であり、バンドの端部がその筐体の中に設置されたときのケース内に作製されたスロットの中に隠れた中央の保持隆起部分と、分解組立体図での２つの部分のバーとを備える図である。
【図２】図１の好ましい実施形態による腕時計の斜視図であり、そのバーが組立てられ、ケース内に一体化された図である。
【図３】図１に示される好ましい実施形態による腕時計の頂部および輪郭図であり、バーが中を通過するための溝およびチャネル部分の形状を示す図である。
【発明を実施するための形態】
【００１８】
図１は、腕時計と、本発明の好ましい実施形態による、好ましくはプラスチック製のケース１にバンド２を取り付けるための装置の詳細な図を示している。ケースの背面カバー１０に電池室１１が示されており、その端部に、ケース１からわずかに突出するように周辺縁部１３が配置され、その中には電池カバー（図示せず、恐らく舌を備える）のためのアクセス凹部１３１がある。取付け装置は、ここではケース１の横壁の中に配置されたスロット３によって形成される第１の開放筐体と、ここではスロット３の面の一方に配置される円筒形の溝３２によって形成される第２の開放筐体とを含む。この円筒形の溝３２は、取付け要素を挿入および保持するためのものであり、これは、この好ましい実施形態ではバー４によって形成され、軸Ａ−Ａに沿って延在するそのピン４１もまた溝３２の形状に合致するように円筒形である。バー４は好ましくは、ピン４１の一端と一体式の鍔４３と、この鍔４３と同一の形状のキャップ４２とをさらに含んでおり、このキャップは、中心ピン４１の中空の部分に設置された挿入の地点４２１を介してピン４１の反対側の端部に対して組立てられることが意図されている。内側の隆起４１１が、ピン４１の端部に配置され、挿入の地点４２１の背後に配置された溝と協働することにより、キャップ４２をピン４１の中に嵌め込む。この内側の隆起４１１は好ましくは、ここでは材料を変形させることによって形成され、その結果、ピンの外面上に溝を形成させる。キャップ４２を固定する他の方法、例えば接着、溶接またはさらには打込みなどの方法を想定することができるが、このスナップ嵌合は極めて容易であるため、材料の観点における節約に加えて、組立てる際のかなりの時間の節約が可能になる。図示されない変形形態によると、３つの部品のバー４を使用する場合もあり、鍔４３の代わりに第２のキャップ４２を備える。しかしながら、このような変形形態には追加の組み立てステップを必要とするという欠点がある。
【００１９】
アルミニウム製のケース１とは異なり、プラスチック製のケース１は、経時的にクリープしやすく、よってバー４の緩みを生じさせる可能性が高い。プラスチックのクリープを克服するために、溝３２に相補的な半径方向の保持要素が、中央の隆起部分５の形態でスロット３内に設けられ、その中に好ましくはチャネル部分５１が配置され、その形状および深さはここでは溝３２のものに対して相補的であるため、バー４の軸Ａ−Ａに直交する面内に含まれる方向でのバー４の移動を介してバー４のピン４１がスロット３を出ることは決してない。図１において、中央の隆起部分５のチャネル部分５１と、溝３２は、スロットの対向する面上に配置され、その各々のサイズおよび深さは、バー４のピン４１が、中央の隆起部分５においてチャネル部分５１と溝３２の間にいかなる自由度も持たないように構成されることに留意されたい。このような構成によって、例えばセラミック、金属、プラスチックまたは経時的に変動するクリープを有する材料などいかなるタイプの材料のケースにも本発明を適用させることが可能になる。しかしながらクリープが比較的小さい場合、単に中央の隆起部分５のチャネル部分５１の深さを調節することが可能であり、これはスロット３の溝３２と同じ側に配置することができる。
【００２０】
図１に示される好ましい実施形態によると、スロット３は、第１の垂直方向の横壁３１によって横方向に区切られ、この壁に面して、キャップ４２を収容するためにケース１の中央部分に横方向の凹部１２が設けられる。キャップ４２は好ましくはここでは円筒形の形状を有するため、横方向の凹部１２は、ケース１の中に合致する掘削された円筒形の形状を有する。
【００２１】
バンド２をケース１に固定するために、前記端部２１をスロット内に保持するためにバー４がその中に挿入されないうちに、その端部２１の一方、例えばストランドの端部に対応する方がスロット３に挿入される。バンドの端部２１を保持し易くするために、バー４と協働するための第３の筐体が設けられる。この第３の筐体はここでは、その形状が中央の隆起部分５のものと合致する中心凹部２２の両側に配置された２つの追加の半分の溝２３の形態を採る。このような半分の溝２３のサイズおよび深さは、バー４のピン４１の一部を収容するように提供されており、以下で図３において見られるように、そのサイズおよび深さは好ましくは、中央の隆起部分５のチャネル部分のものと同一であることにより、バンド２を組立てる際、バー４のピン４１を軸Ａ−Ａに沿って挿入し易くする。
【００２２】
中央の隆起部分５は、ここでは対称的であり、よってさらにはバンドの端部に対する応力を分散させるために、スロット３の中心に配置されており、これによりバンド２がひとたびケース１に対して組立てられると完全に隠される。バンド２の機械加工公差を最適に、詳細には幅の観点で補償するために、中央の隆起部分５は、第２の横の壁５２を備えており、この壁もまた好ましくは垂直方向であり、その形状および傾斜は好ましくは、バンド２の中心凹部２２のもと合致することで軸Ａ-Ａのいずれかの側に配置されたキャップ４２から独立して、バー４の軸Ａ−Ａに沿った端部２１のいかなる横方向の移動も阻止する停止面を形成し、これらはまた、バンド２の横方向の端部に対してもこの停止機能を実施することが可能である。代替の一実施形態（図示せず）によると、中央の隆起部分５のこのような２つの横壁５２は、例えばＶまたは反転したＶの形状で傾斜することで、中央の隆起部分５を形成するのに必要な材料の量を最小限にし、そのため大量生産する場合の規模の経済性を提供することが可能である。
【００２３】
図２は、図１に示されるものと同一の要素を示しており、すなわちケース１、バンド２およびバー４を示しているが、バー４は中心ピン４１の右側端部に対して組立てられたキャップ４２と一体式に設置され、バンド２の端部２１は、もはやスロット３の内部に収容されていない。よって全ての参照符号は、溝３２およびチャネル部分５１が軸Ａ−Ａ上でバー４のピン４１によって占拠されるため、もはやそれらを見えないということを除いて図１のものと同一である。したがって図２は、バンド２の端部２１を、バー４をそれと共に取り去ることなく、それが収容されるスロット３から解放させることができる場合を示している。中央の隆起部分５によって形成される半径方向の保持要素によって、ピン４１がスロット３から外に引っ張り出されるのを阻止することが可能になるが、バーの軸Ａ−Ａに沿ったピン４１のいずれの横方向の移動も阻止するのに摩擦力が不十分である場合は、ピンが外に滑り出すのを阻止するための軸方向の保持要素を設ける必要がある。これを達成するために、スロット３を区切る第１の横壁３１は、キャップ４２のための軸方向の停止部材として作用し、その結果バンド２がひとたびバーを利用して組立てられると、スロット３の幅に対するピン４１の長さに関する機械加工公差、および第１の横壁３１を押しつぶすことなくキャップ４２を組立てることを可能にする場合の公差は別として、軸Ａ−Ａに沿ったバー４のいかなる移動も不可能である。
【００２４】
図３は、先行する図面の好ましい実施形態による腕時計の種々の図を示す。その中心には、従来の方法でクリスタル１４によって覆われたケース１の反対側を示す頂面図があり、その左と右には、バー（図示せず）のピン４１に関する挿入軸Ａ-Ａの面内での中央部分の各々の側の側面図がある。左側には、セットハンド心棒６が示されおり、これは従来の方法でケース１の９時のところに位置しており、このケースは、クリスタル１４によって背面カバーに対して閉じられており、その反対側にある電池室の周辺縁部１３が見られる。右側の図面は、３時の腕時計の反対側を示している。これらの２つの図面において、図１において既に提案したように、その２つのスロット３は好ましくは、ケース１の両側に位置しており、ここでは６時と、正午のところであり、心棒の軸に対称的かつ平行であるように配置されることで、２つのストランドの端部を収容するのに好ましいものになる。溝３２は、中央の隆起部分５のチャネル部分５１によって延長することで、完全な事実上の円筒を形成し、その直径は好ましくは、図１および図２に示されるようにバー４のピン４１のものよりわずかに大きくなることで、軸Ａ-Ａに沿ってそれを挿入し易くしており、かつ事実上の円筒の中に延在することに留意されたい。これらの図面はまた、第１および第２の横壁と（これらはそれぞれスロット３に対して３１および５２と呼ばれる）、中央の隆起部分５とを示しており、これらは、バンド２の端部２１およびバー４のキャップ４２のための軸方向の停止面を形成する。
【００２５】
上記に記載される実施形態において、バンドは好ましくは合成繊維で形成されるが、プラスチック、革、金属、セラミックまたは複合体で作製することも可能である。同様にバー４は好ましくは金属製であるが、これもまたプラスチック、セラミックまたは複合体で作製することも可能である。このバー４は、ここでは３つの部品で形成されるが、２つの部品のみを有する場合もあり、キャップ４２の一方はピン４１の端部の一方に事前成型される、あるいは１つの、例えば成型部品である場合もあり、その場合、ピンの筐体は、時計ケースの中央部分の外側に付加され、ねじまたは溶接方法によってケースに固定された壁で構成される場合がある。さらにバー４のピン４１と、キャップ４２の両方のセクションは好ましくは、軸Ａ-Ａを中心とした回転における自由度を助長するために円筒形になるように選択されるが、製造コストを下げる目的で、製造の制約によって別の形状、例えば楕円形、正方形または三角形を採る場合もある。
【符号の説明】
【００２６】
１  ケース
２  バンド
３  スロット
４  バー
５  中央の隆起部分
６  セットハンド心棒
１０  カバー
１１  電池室
１２  横方向の凹部
１３  周辺縁部
１４  クリスタル
２１  バンドの端部
２２  中心凹部
２３  半分の溝
３１  垂直方向横壁
３２  円筒形の溝
４１  ピン
４２  キャップ
４３  鍔
５１  チャネル部分
５２  第２の横壁
４１１  内側の隆起
４２１  挿入の地点
【図１】
2014180580.tif 000003
【図２】
2014180580.tif 000004
【図３】
2014180580.tif 000005